(57)【要約】      （修正有）【課題】万全な施工ができ、コンパクトな土のうを提供する。【解決手段】１枚のＰＰ素材のシートを袋状にし、その上部面にファスナーを取付け、この中に砂と化学物質と水を注入する。網袋を被せ、その網袋にフックを取りつける。【選択図】図３
0003163198.tif 000002
【実用新案登録請求の範囲】
【請求項１】
災害時の異常降雨のため河川の増水や土壌決壊を引き起こし浸水や果ては人命にも及ぶ事故等を予防防護するために考案された災害雨等に使用出来る流水止めシャットアウトに関わるものである。
【請求項２】
双方幾重にも積み重ねた時に本体が下に滑りおちないような細工を施こす、スタリ（釣り上げた魚を入れる網で出来きた袋）と更に相方のスタリにＳ字型のフックを用いて安定度を強化させた請求項１の災害雨等に使用出来る流水止シャットアウトの考案である。
【考案の詳細な説明】
【技術分野】
【０００１】本考案は災害時異常降雨のため河川の増水や土壌決壊を引き起し浸水や果ては人命にも及ぶ事故等を未然に予防防護出来るものとした考案である。
【背景技術】
【０００２】従来のものは何の変哲のない砂袋や土のうが殆んどでそれ以外長い水袋のような物があったが現在では見当たらない只最近は化学物質を作用しその効果を知らしめて防御に対応しているが、一番大事な施工時に、何段も積み重ねていく時布地の袋の中で化学反応を起してドロドロした液体が袋の全体に染み込んでツルツルと滑りやすくしてその欠点をさらけ出し効果を半減している様子が伺える。この種のものはいずれもその袋体に最も肝心な滑り止の作用が付いていないのである。
【考案の開示】
【考案が解決しようとする課題】
【０００３】解決するために本考案は布地の袋でなく強靱で強固なポリプロピレン通称ＰＰの袋を構成する。そして上部面を開閉出来るようにフアスナーを取付け袋体とした。そうすることによってそこから比重を作るための砂や化学物質を入れるように細工する。特に化学物質は水分を吸収すると瞬時に比重を作り、砂の分子と化学物質の分子がうまい具合に砂にからみ合い中和しどろどろした液体が解消されるに至ったのである。次に幾重にも積み重ねた時下に滑りおちないようにどの袋体にも網袋を用意した。これは網袋（スタリ）の特徴である利便性を活し包括する締める縛るを活用した。どの袋体もスタリを下から包み込むように被せ締めて縛って本体を固定させた。スタリにはあらかじめ逆止弁が付いているので固定させる細工にも繋ったのである。さらに万全な施工が出来るようにスタリを被せた本体にＳ字型のフックを用いた。更に相互の袋体を網の目を利用し、フックを上下に掛け乍ら積み重ねていくと一段と安定度が増したのである。以上のような本考案の構成であるので一般の方でも自分の所の浸水などは己れ自身で予防防護が可能にもなった。これらのことを鑑みても課題を解決出来た本考案である。
【課題を解決するための手段】
【０００４】解決するために下記の６つの手段を設けた。（イ）１枚のＰＰ素材のシートを袋状にした。（ロ）この袋状の上部面に開閉出来るフアスナーを取り付ける。（ハ）重さを作る比重の基に砂や化学物質を用いる。（ニ）化学物質は水分を吸収することにより重さを作れるよう細工した。（ホ）施工時本体積み重ねた時滑りおちないように網袋（スタリ）を用意した。（ヘ）本体を包み込むスタリの安定度を更に増すためＳ字型フックを細工する。
【考案の効果】
【０００５】前記にも掲げたように本考案はコンパクトな構成なので災害時の使用は勿論浸水しやすい場所等は消防車のような公共の手を借りずに一般の方でも予防防護が出来るような効果が生じた。〔考案実施するための最良の形能〕【０００６】１枚のポリプロピレン通称ＰＰ素材のシートを用いて一枚の袋状にした。その袋の上部面にフアスナーを取り付けた。それはフアスナーの利便性である開閉の有無を活用するためのものである。先ず袋体の比重を作るために開にしてそこから化学物質と砂そして水分を注入する。その後はフアスナーを閉にする。化学物質は水分を吸収すると反応を起し分子が膨張し重さを作る役目をするのである。又反応して変を起す時どろどろした液体に変りツルツルして滑りやすくなり現場の施工時において効果が半減するのでそれをサポートするのが砂の役目なのである。しかるに目的の重さの比重を作るのは水分であり砂分子が化学物質のどろどろした液体にからみ付き分子間が中和し三位一体になり重さの比動作りに貢献するのである。又施工時幾段にも積み重ねていく時本体が滑り落ちないようにどの袋体にも網袋を用意した。（釣った魚を入れる網で作られた用具、型は千差万別）スタリとも云っている。これは網の特徴である利便性を活し包括する締める縛るを活用した。どの袋体もスタリを下から包み込むように被せ締めて縛って本体を固定させる。スタリにはあらかじめ逆止弁が付いているので固定させる細工にも繋ったのである。さらに万全な施工が出来るようにスタリを被せた本体にＳ字型のフックを用いた。更に相互の袋体を網の目を利用しフックを上下に掛けたら積み重ねていくと一段と安定度が増したのである。
【実施例】
【０００７】施工時における実施例を図面を用いて説明する。２．のフアスナーの付いた袋体は常備３のスタリの中にセットされており一刻も争う製品のたぐいなので段取よく施工を運ぶためにも必要なのです袋体を立てゝフアスナーを開けそこから重さを作る比重の基である水分と化学物質と砂を入れる。そうすることによって化学反応による比重を作る目的が得られた。しかしその時どろどろした液体が袋体の中で生じる。これが施工の時何段も積み重ねるとツルツルと滑り施工にマイナス点を与えていることが多い。これが砂を混ぜることによって中和のような力でどろどろやツルツルの状態を止めることが出来きた、これこそが三位一体の作用なのかも知れない。次に安定した施工が出来るように３のスタリを用いたのである。それは３の特徴でもある包括する0003163198.tif 000003
で強く縛るのである。これらを利用したことで袋体が膨張し万が一にもパンク等の障害にならないようにスタリの網の目がしっかりと支えてくれる。更に４のＳ字型フックは本体相方の袋体を積み重ね乍ら施工していく時本体が下に滑りおちないように相方の袋体同士をしっかりと上下左右にＳ字型フックを素速くかけると更に安定度が得られるようになった。本考案の実施例は以上の如きである。
【図面の簡単な説明】
【０００８】
【図１】
【図２】
【図３】
【図４】
【符号の説明】
【０００９】１  一枚のＰＰの素材のシートを袋状にした平面図２．袋状の上部面に開閉出来るフアスナーを取り付ける側面図３．網の袋  スタリ  正面図４．Ｓ字型  フック  平面図
【図１】
0003163198.tif 000004
【図２】
0003163198.tif 000005
【図３】
0003163198.tif 000006
【図４】
0003163198.tif 000007
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
１枚のＰＰ素材のシートを袋状にしその上部面にファスナーを取付けこの中に砂と化学物質と水を注入した土のう。
【請求項２】
請求項１に記載の土のうに網袋を被せその網袋にフックを取りけた土のう。
【手続補正２】
【補正対象書類名】明細書
【補正対象項目名】０００８
【補正方法】変更
【補正の内容】
【０００８】
【図１】１枚のＰＰ素材のシートを袋状にした平面図
【図２】袋状の上部面に開閉出来きるファスナーを取り付けた側面図
【図３】網で出来きた袋状の正面図
【図４】Ｓ字形フックの側面図